(57)【特許請求の範囲】
【請求項１】
前部にフード部を有するコネクタと該フード部内において仮係止位置から本係止位置へ移動可能に設けられる端子金具挿入検知部材から成り、該コネクタのハウジング本体部に形成される端子収容室には端子金具に対する可撓係止片を該端子収容室と反対側にランス変位許容空間を有して設け、該端子金具挿入用検知部材の主枠部には該ランス変位許容空間に対応する挿入検知体とハウジング本体部の側壁外面から臨まれ外部から操作可能な操作片を設け、該操作片を可撓枠体をもって構成すると共に可撓枠体には仮係止突起と本係止突起を設けて自由端部に操作部を有する可動アームを設け、ハウジング本体の側壁に仮係止突起と本係止突起を設け、前記操作片と該ハウジング本体の一方に該可撓枠体の可撓変位許容空間に進退する該可撓枠体の変位阻止部材を設けて成ることを特徴とする端子金具用挿入検知部材を有するコネクタ。
【請求項２】
前記可撓枠体の自由端部に支持部を介して操作部を有する可動アームを設けると共に該可動アームに該可撓枠体の可撓変位許容空間内に位置する変形阻止突起を設けて成ることを特徴とする請求項１に記載の端子金具用挿入検知部材を有するコネクタ。
【請求項３】
前記ハウジング本体の側壁において可撓片を設け、該可撓片に操作部と該可撓枠体の可撓変位許容空間内に位置する変形阻止突起を設けて成ることを特徴とする請求項１に記載の端子金具用挿入検知部材を有するコネクタ。
【請求項４】
前記可撓枠体の自由端部に該可撓枠体の可撓変位許容空間内に位置する変形阻止用アームを設け、前記コネクタハウジングの側壁に該変形阻止用アームの自由端部を支持する支点突起を設けて成ることを特徴とする請求項１に記載の端子金具用挿入検知部材を有するコネクタ。
【請求項５】
前記可撓枠体の自由端部に該可撓枠体の可撓変位許容空間内に位置する変形阻止用アームを設け、該阻止用アームの自由端部に前記コネクタハウジングの側壁に当接する支点突起を設けて成ることを特徴とする請求項１に記載の端子金具用挿入検知部材を有するコネクタ。
【請求項６】
前記可撓枠体を構成する一方の可撓変形枠部に仮係止突起を設け、他方の可撓変形枠部に本係止突起を設けて成ることを特徴とする請求項２ないし５の何れかに記載の端子金具用挿入検知部材を有するコネクタ。
【発明の詳細な説明】
【０００１】
【発明の属する技術分野】
本発明は、端子金具用挿入検知部材を有するコネクタに関する。
【０００２】
【従来の技術】
図１７，１８において、ａは前方にフード部ａ1 を有する雌型コネクタハウジング、ｂは端子金具の挿入検知部材である。挿入検知部材ｂにおいて、二又状の導入部ｂ1 に続いて検知部ｂ2 が設けられ、検知部ｂ2 の両側において挿入ガイド部ｂ3 が形成されると共に、導入部ｂ1 の下方において下向きアーチ状の操作部ｂ4 が設けられている。
【０００３】
雌型コネクタハウジングａのフード部ａ1 の内壁の対向位置には一対のガイド溝ｄ，ｄが形成され、該ガイド溝ｄ，ｄに挿入ガイド部ｂ3 ，ｂ3 を係合させつつ挿入検知部材ｂをフードａ1 内に押し込み、操作部ｂ4 をフード部ａ1 からハウジング本体部ａ2 にかけて形成された窓ｅより外方へ突出させる（図１８，１９参照）。
【０００４】
図１９は挿入検知部材ｂの仮係止状態を示し、仮係止突起ｆが雌型コネクタハウジングａの係合部ｇの後端に係合している。仮係止状態において、端子収容室ａ3 に後方から端子金具Ｃを、可撓係止片ｈを変位許容空間ｉを介して下方へ変位させつつ挿入し、挿入完了時において復元した可撓係止片ｈの係止突起ｈ1 を端子金具Ｃの係止孔内に係入させて係止し、この状態において操作部ｂ4 を持って挿入検知部材ｂを雌型コネクタハウジングａ内に押し入れ、検知部ｂ2 を上記変位許容空間ｉ内に位置させると共に、本係止突起ｊを前記係合部ｇの後端に係合させて導入検知部材ｂを図２０の如く本係止状態に固定する。
【０００５】
端子金具Ｃの挿入が図２１の如くに不完全であると、不完全挿入の端子金具Ｃにより強制変位されている可撓係止片ｈが変位許容空間ｉに位置しているので、挿入検知部材ｂを本係止位置へ移動することが不可能となり、端子金具Ｃの不完全挿入を検知することが可能となる。
【０００６】
【発明が解決しようとする課題】
上記従来技術にあっては、フード部ａ1 の内壁にガイド溝ｄ，ｄが形成されているので、フード部ａ1 が変形し易いと共に、この変形を防止するためにガイド溝ｄ，ｄの回りに肉付けをすると外形寸法が大きくなる欠点があり、また、アーチ状の操作部ｂ4 を雌型コネクタハウジングａの外方へ突出させているので、フード部ａ1 からハウジング本体部ａ2 にかけて窓ｅを形成するための大きな切り欠きが必要となり、更には、ガイド溝ｄに係合している挿入検知部材ｂを該検知部材ｂの一側に突設されている操作部ｂ4 により本係止位置へ移動させるので、移動操作時において挿入検知部材ｂにこじりが発生し易く、移動が円滑に為されなくなる欠点がある。
【０００７】
本発明は上記した点に着目して為されたものであり、挿入検知部材を設けたことによりコネクタハウジングの強度を損なうことがなく、且つ操作時における挿入検知部材の移動が円滑に為し得られるようにすると共に、仮係止状態にある挿入検知部材が不用意に本係止位置へ移動しないようにしたものである。
【０００８】
【課題を解決するための手段】
上記目的を達成するため、本発明においては、前部にフード部を有するコネクタと該フード部内において仮係止位置から本係止位置へ移動可能に設けられる端子金具挿入検知部材から成り、該コネクタのハウジング本体部に形成される端子収容室には端子金具に対する可撓係止片を該端子収容室と反対側にランス変位許容空間を有して設け、該端子金具挿入用検知部材の主枠部には該ランス変位許容空間に対応する挿入検知体とハウジング本体部の側壁外面から臨まれ外部から操作可能な操作片を設け、該操作片を可撓枠体をもって構成すると共に可撓枠体には仮係止突起と本係止突起を設けて自由端部に操作部を有する可動アームを設け、ハウジング本体の側壁に仮係止突起と本係止突起を設け、前記操作片と該ハウジング本体の一方に該可撓枠体の可撓変位許容空間に進退する該可撓枠体の変位阻止部材を設ける構成を採用した。
【０００９】
【作用】
ハウジング本体部の側方へ露出している操作片に指を掛けて端子金具用挿入検知部材を仮係止位置から本係止位置に移動させるものであり、この際に不完全挿入の端子金具があるとランス変位許容空間内に位置している可撓係止片に挿入検知体が衝合して移動不能となる。
仮係止位置と本係止位置においては、仮係止突起と本係止突起を有する可撓枠体の可撓変位許容空間に変形阻止部材が位置しているので、仮係止状態と本係止状態が確実に保持され、仮係止位置と本係止位置相互間において移動させる際には、該変形阻止部材が該可撓変位許容空間外に位置する状態で行う。
【００１０】
【発明の実施の形態】
図１において、Ａは合成樹脂製の雌型コネクタ、Ｂは合成樹脂製の端子金具用挿入検知部材である。
雌型コネクタＡは、ハウジング本体部Ａ１とその前方において段部Ａ３を介して膨出したフード部Ａ２とより成る。図２（Ｂ）に示される如くに、ハウジング本体部Ａ１には端子収容室１が上下２段においてそれぞれ複数設けられ、各端子収容室において前端にはストッパー２が設けられると共に、下部には壁９に設けた支持基部３ａを介して前方へ延長する片持の可撓係止片３が設けられる。可撓係止片３の前方自由端部には係止突起３ｂが設けられ、可撓係止片３と端子収容室１の一方の壁９との間にはランス変位許容空間４が形成されている。
フード部Ａ２の上部には、ロック用係合枠部５が設けられる。
【００１１】
端子金具用挿入検知部材Ｂは、前後方向において細巾の主枠部６の中間部と下部において前記ランス変位許容空間４に対応して前方へ延長する複数の挿入検知体７を有し、また、両側部において前方へ延長する一対の操作片８を有する。操作片８は上下に相対向して設けられた可撓変形枠部８ａ,８ｂ間に可撓変位許容空間Ｓを有する可撓枠体として形成されており、該操作片８の一対の可撓変形枠部８ａ,８ｂにおける可撓変位許容空間Ｓと反対側において、上側の可撓変形枠部８ａの上部にはテーパー状係合案内部８ａ１′と垂直係合部８ａ２′を有する山型の仮係止突起８ａ′、下側の可撓変形枠部８ｂの下部にはテーパー状係合案内部８ｂ１′と垂直係合部８ｂ２′を有する本係止突起８ｂ′が形成され、ハウジング本体部Ａ１の側壁外面９ａにおいて、操作片８を受け入れるようにして間隔を存して設けた一対の案内リブ１２の相対向側である内側には一方において山型の仮係止突起１２ａ、他方において山型の本係止突起１２ｂが突設されている。
【００１２】
操作片８の自由端部には外側に向けて起立する支持部８ｃが設けられ、支持部８ｃには操作片８の外側において操作片８と並行して延長する可動アーム８ｅが設けられ、可動アーム８ｅには支持部８ｃを越えて延長する操作部８ｄが設けられ、可動アーム８ｅの自由端には可撓変位許容空間Ｓ内に進出して可撓変形枠部８ａ，８ｂの可撓変形を阻止する変形阻止用突起８ｆが突設されている。
【００１３】
上記構成において、端子金具用挿入検知部材Ｂは、予め主枠部６をフード部Ａ2 の内部に摺接させつつフード部Ａ2 内に挿入して一対の操作片８を段部Ａ3 の窓１０からハウジング本体部Ａ1 の側壁外面９ａにおいて一対の案内リブ１２，１２間に進出させると共に操作部８ｄを持って操作片８を外側へ可撓変位させつつ引き出し、仮係止突起８ａ′が案内リブ１２の仮係止突起１２ａを越えたところで操作片８を戻して仮係止突起８ａ′を仮係止突起１２ａに係合させ、雌型コネクタＡに対して端子金具用挿入検知部材Ｂを仮係止位置に保持する（図２（Ａ））。
【００１４】
仮係止位置において、ハウジング本体Ａ１の後方より端子収容室１に端子金具Ｃを挿入するもので、この際に端子金具Ｃは可撓係止片３をランス変位許容空間４を介して変位させつつ挿入され、端子金具Ｃの挿入が完了した時点で復元した可撓係止片３の係止突起３ｂが端子金具Ｃの肩部１１に係合する（図２（Ｂ））。
仮係止位置においては、変形阻止用突起８ｆが可撓変位許容空間Ｓ内に位置しているので、変形阻止用突起８ｆにより可撓変形枠部８ａ,８ｂの変形が阻止され、主枠部６に外力が加わった際に、本係止突起８ｂ′が本係止突起１２ｂを可撓変形枠部８ｂの可撓変形により変位させてこれを乗り越え、不用意に本係止位置へ移行するのを確実に阻止する。
【００１５】
端子金具用挿入検知部材Ｂを仮係止状態から本係止状態へ移行させるには、図４に示される如くに、操作部８ｄを側壁外面方向に押圧することにより起立支持部８ｃを支点として可動アーム８ｅを外方へ変位させ、これによって変形阻止突起８ｆを可撓変位許容空間Ｓ内から後退させ、この状態で操作部８ｄを引くと本係止突起８ｂ′が可撓変形枠８ｂと共に変位しつつ本係止突起１２ｂを乗り越え、本係止位置へ移行する（図３（Ａ））。
本係止位置においては、挿入検知体７がランス変位許容空間４内に進入し、可撓係止片３の変位を阻止して端子金具Ｃの後抜け防止を確実にする（図３（Ｂ））。
【００１６】
端子金具Ｃが不完全挿入である場合には、可撓係止片３がランス変位許容空間４内に位置しているので、挿入検知体７がランス変位許容空間４内に進入不能となって挿入検知部材Ｂを本係止位置へ移動出来なくなり、これによって端子金具Ｃの不完全挿入が検知できる。
本係止位置（図３（Ａ））から仮係止位置（図２（Ａ））に戻す場合にも、同様に操作部８ｄを押し、可撓変形枠部８ａ,８ｂ間から変形阻止突起８ｆを外すことにより移動が可能となる。
【００１７】
図５乃至図８の構造では、端子金具用挿入検知部材Ｂ′において、一対の操作片８の自由端部には操作部８ｄ′のみが設けられている。
また、雌型コネクタＡ′の一対の案内リブ１２，１２間において、側壁外面９ａ上には片持ちの可撓片１３が側壁外面９ａとの間に可撓変位間隔を存して設けられ、可撓片１３の自由端側には背の高い大きな操作突起１３ａが突設され、その内側に背の低い変形阻止突起１３ｂが設けられている（図５）。なお、図１乃至図４と同一構造部分には同一符号が付されている。
【００１８】
端子金具用挿入検知部材Ｂ′を雌型コネクタＡ′に組み合わせる際において、窓１０から引き出されている操作片８を操作部８ｄ′により外方へ変位させ、仮係止突起８ａ′が仮係止突起１２ａを越えたところで操作片８を戻して仮係止突起８ａ′を仮係止突起１２ａに係合させて仮係止位置を保持する（図７）。仮係止位置においては、変形阻止突起１３ｂが可撓変位許容空間Ｓに位置しているので、前記同様にして仮係止突起１２ａの変位が阻止されることにより仮係止状態が確実に阻止される。
【００１９】
仮係止位置において、操作突起１３ａを押して可撓片１３を側壁外面９ａ方向変位させることにより変形阻止突起１３ｂを可撓変位許容空間Ｓから後退させ、この状態で操作部８ｄ′を引くことにより端子金具用挿入検知部材Ｂ′を容易に本係止位置へ移動させることが出来る（図８）。本係止位置から仮係止位置への移動も同様に操作突起１３ａを押して変形阻止突起１３ｂを後退させつつ行う。なお、上記実施例においては、可撓枠体の内部の可撓変位許容空間に進退する変形阻止部材を設けたものであるが、可撓枠体の外部の可撓変位許容空間に進退する変位阻止部材を設けてもよい。
【００２０】
図９乃至図１２の構造では、端子金具用挿入検知部材Ｂ１において、一対の操作片８の自由端部における操作部８ｄ′には、操作片８内の可撓変位許容空間Ｓ内において、操作片８と並行状態で延長して可撓変形枠部８ａ，８ｂの可撓変形を阻止する変形阻止用アーム８ｇが設けられ、雌型コネクタＡ″の一対の案内リブ１２，１２間において、側壁外面９ａ上には変形阻止用アーム８ｇの自由端部を支持する支点突起１４が設けられている。なお、図１乃至図４と同一構造部分には同一符号が付されている。
【００２１】
端子金具用挿入検知部材Ｂ１を雌型コネクタＡ″に組み合わせる際において、窓１０から引き出されている操作片８を操作部８ｄ′により外方へ変位させ、仮係止突起８ａ′が仮係止突起１２ａを越えたところで操作片８を戻して仮係止突起８ａ′を仮係止突起１２ａに係合させて仮係止位置を保持する（図１０）。仮係止位置においては、変形阻止用アーム８ｇが可撓変位許容空間Ｓに位置しているので、前記同様にして仮係止突起８ａ′の変位が阻止されることにより仮係止状態が確実に保持される。変形阻止用アーム８ｇの自由端部には支点突起１４が近接して対向している。
【００２２】
仮係止位置において、操作部８ｄ′を雌コネクタＡ″の側壁外面９ａ方向に押すことにより側壁外面９ａとの間に存する変位許容空間を介して操作片８の可撓変形枠部８ａ，８ｂが側壁外面９ａ方向に変位する。しかし、変形阻止用アーム８ｇの自由端部には支点突起１４が存在しているので、変形阻止用アーム８ｇは操作部８ｄ′に対する連結基部を除いて大部分が変位しないで操作片８の可撓変位許容空間Ｓから外れる（図１２）。従って可撓変形枠部８ａ，８ｂは変形可能状態となり、この状態で操作部８ｄ′を引くことにより端子金具用挿入検知部材Ｂ１を容易に本係止位置へ移動させることができる（図１１）。本係止位置から仮係止位置への移動には、操作片８を操作部８ｄ′により外方へ変位させて行なう。
なお、上記実施例においては、可撓枠体の内部の可撓変位許容空間に位置する変形阻止用アームを設けたものであるが、可撓枠体の外部の可撓変位許容空間に位置する変形阻止用アームを設けると共に該変形阻止用アームの自由端に対応する支点突起をコネクタの側壁外面に設けてもよい。
【００２３】
図１３乃至図１６の構造では、端子金具用挿入検知部材Ｂ２において、操作片８の可撓変位許容空間Ｓ内に位置する変形阻止用アーム８ｇの自由端部において、雌型コネクタＡの側壁外面９ａの方向に向けて突設されると共に端面が側壁外面９ａに近接する状態の支点突起８ｈが設けられている。なお、図９乃至図１２と同一構造部分には同一符号が付されている。
【００２４】
端子金具用挿入検知部材Ｂ２を雌型コネクタＡに組み合わせる際において、窓１０から引き出されている操作片８を操作部８ｄ′により外方へ変位させ、仮係止突起８ａ′が仮係止突起１２ａを越えたところで操作片８を戻して仮係止突起８ａ′を仮係止突起１２ａに係合させて仮係止位置を保持する（図１４）。仮係止位置においては、変形阻止用アーム８ｇが可撓変位許容空間Ｓに位置しているので、前記同様にして仮係止突起８ａ′の変位が阻止されることにより仮係止状態が確実に保持される。
【００２５】
仮係止位置において、操作部８ｄ′を雌コネクタＡの側壁外面９ａ方向に押すことにより側壁外面９ａとの間に存する変位許容空間を介して操作片８の可撓変形枠部８ａ，８ｂが側壁外面９ａ方向に変位する。しかし、変形阻止用アーム８ｇの自由端部にある支点突起８ｈが側壁外面９ａに当接するので、変形阻止用アーム８ｇは操作部８ｄ′との連結基部を除いて大部分が変位しないで操作片８の可撓変位許容空間Ｓから外れる（図１６）。従って、可撓変形枠部８ａ，８ｂは変形可能状態となり、この状態で操作部８ｄ′を引くことにより端子金具用挿入検知部材Ｂ２を容易に本係止位置へ移動させることができる（図１５）。本係止位置から仮係止位置への移動には、同様に操作部８ｄ′を側壁外面９ａ方向に押しながら行なう。
なお、図９乃至図１６の構造において、支点突起１４，８ｈは可撓変形枠部８ａ，８ｂの上記変位を阻害しない大きさに設定されている。
【００２６】
【発明の効果】
本発明は上記した如くに、前部にフード部を有するコネクタと該フード部内において仮係止位置から本係止位置へ移動可能に設けられる端子金具挿入検知部材から成り、該コネクタのハウジング本体部に形成される端子収容室には端子金具に対する可撓係止片を該端子収容室と反対側にランス変位許容空間を有して設け、該端子金具挿入用検知部材の主枠部には該ランス変位許容空間に対応する挿入検知体とハウジング本体部の側壁外面から臨まれ外部から操作可能な操作片を設け、該操作片を可撓枠体をもって構成すると共に可撓枠体には仮係止突起と本係止突起を設けて自由端部に操作部を有する可動アームを設け、ハウジング本体の側壁に仮係止突起と本係止突起を設け、前記操作片と該ハウジング本体の一方に該可撓枠体の可撓変位許容空間に進退する該可撓枠体の変位阻止部材を設けて成るものであるから、ハウジングを特に大型化しないフード部の強度を保ちつつ端子金具用挿入検知部材をフード部内において移動可能に設けることができ、変形阻止部材が可撓変位許容空間内に位置して、この変形阻止部材により可撓変形枠部の変形を阻止し、仮係止位置にある端子金具用挿入検知部材が外力により不用意に本係止位置へ移動するのが確実に阻止し得る。
また、端子金具挿入検知部材を仮係止状態から本係止状態に移行するには、操作部を外部操作することにより変形阻止部材を可撓変位許容空間から後退させ、係止突起を可撓変形枠部と共に変位させ、本係止することができる。
さらに、本係止位置から仮係止位置に戻す場合にも、操作部を外部から操作することにより、可撓変形枠部から変形阻止部材を外して移動を許容し、本係止位置から仮係止位置に戻すことができる。
【図面の簡単な説明】
【図１】本発明の一実施例について、コネクタと端子金具用挿入検知部材を分離した状態の斜視図である。
【図２】（Ａ）はコネクタに対して端子金具用挿入検知体を仮係止した状態の斜視図、
（Ｂ）は（Ａ）の挿入軸方向に沿った断面図である。
【図３】（Ａ）はコネクタに対して端子金具用挿入検知体を本係止した状態の斜視図、
（Ｂ）は（Ａ）の挿入軸方向に沿った断面図である。
【図４】端子金具用挿入検知体の要部の斜視図である。
【図５】本発明の他の構造について、コネクタと端子金具用挿入検知体を分離した状態の斜視図である。
【図６】同上のコネクタの要部の斜視図である。
【図７】同上の仮係止状態の側面図である。
【図８】同上の本係止状態の側面図である。
【図９】本発明の他の構造について、コネクタと端子金具用挿入検知体を分離した状態の斜視図である。
【図１０】同上の仮係止状態の側面図である。
【図１１】同上の本係止状態の側面図である。
【図１２】同上の端子金具用挿入検知体の要部の斜視図である。
【図１３】同上の他の構造について、コネクタと端子金具用挿入検知体を分離した状態の斜視図である。
【図１４】同上の仮係止状態の側面図である。
【図１５】同上の本係止状態の側面図である。
【図１６】同上の端子金具用挿入検知体の要部の斜視図である。
【図１７】従来例について、コネクタと端子金具用挿入検知体を分離した状態の斜視図である。
【図１８】同上の仮係止状態の斜視図である。
【図１９】図９の挿入軸方向に沿った断面図である。
【図２０】同上の本係止状態の断面図である。
【図２１】同上の端子金具の不完全挿入状態の断面図である。
【符号の説明】
Ａ,Ａ′,Ａ″      コネクタ
Ａ１              ハウジング本体部
Ｂ,Ｂ′,Ｂ１,Ｂ２  端子金具用挿入検知部材
Ｃ                端子金具
１                端子収容室
３                可撓係止片
４                ランス変位許容空間
６                主枠部
７                挿入検知体
８                操作片
８ａ,８ｂ          可撓変形枠部
Ｓ                可撓変位許容空間
８ａ′,１２ａ      仮係止突起
８ｂ′,１２ｂ      本係止突起
８ｆ,１３ｂ        変形阻止突起
８ｅ              可動阻止用アーム
８ｇ              変形阻止用アーム
１３              可撓片
１４,８ｈ          支点突起
【図１】
0003804033.tif 000002
【図２】
0003804033.tif 000003
【図３】
0003804033.tif 000004
【図４】
0003804033.tif 000005
【図５】
0003804033.tif 000006
【図６】
0003804033.tif 000007
【図７】
0003804033.tif 000008
【図８】
0003804033.tif 000009
【図９】
0003804033.tif 000010
【図１０】
0003804033.tif 000011
【図１１】
0003804033.tif 000012
【図１２】
0003804033.tif 000013
【図１３】
0003804033.tif 000014
【図１４】
0003804033.tif 000015
【図１５】
0003804033.tif 000016
【図１６】
0003804033.tif 000017
【図１７】
0003804033.tif 000018
【図１８】
0003804033.tif 000019
【図１９】
0003804033.tif 000020
【図２０】
0003804033.tif 000021
【図２１】
0003804033.tif 000022